(57)【特許請求の範囲】
【請求項１】
一端側に投入口を、他端側に排出口を備えた混合槽に相反方向に回転する二本の平行な混合軸を配設し、該混合軸には混合アーム取付片を混合軸に沿って所定間隔で配設すると共に、材料の混合に適した形状の材料混合用混合羽根と、塊状物を混合槽内壁に押し当てて擦り潰すのに適した形状の解砕用混合羽根のいずれかを先端に有する混合アームを前記混合アーム取付片に着脱自在とし、かつ混合軸の回転方向を正逆いずれにも回転自在とし、材料を混合する場合には、前記材料混合用混合羽根を有する混合アームを混合アーム取付片に取り付け、混合槽の中央部で混合羽根が下から上方向に回転するように正回転させる一方、塊状物を解砕する場合には、前記解砕用混合羽根を有する混合アームを混合アーム取付片に取り付け、混合槽の中央部で混合羽根が上から下方向に回転するように逆回転させる構成としたことを特徴とする二軸式連続ミキサ。
【請求項２】
前記混合軸は混合槽内の両壁面近くで分割して取り外し自在に構成したことを特徴とする二軸式連続ミキサ。
【発明の詳細な説明】
【０００１】
【発明の属する技術分野】
本発明は、例えば、泥土を脱水機によって脱水した脱水ケーキ等の塊状物を解砕したり、また塊状物を解砕しながら固化材を混ぜ合せたり、その他、泥土や飛灰等に固化材等を混ぜ合せるなど、各種材料の解砕、混合に使用される二軸式連続ミキサに関する。
【０００２】
【従来の技術】
従来、二軸式連続ミキサを使用して種々の材料の混合、解砕が行われているが、混合羽根は取り扱う材料に適した形状のものが取り付けられており、また混合羽根の回転方向も混合の場合は混合槽の中央部で下から上方向に材料を持ち上げて混合しやすいように回転させ、また解砕の場合には前記混合とは反対方向に混合羽根を回転させて混合羽根により持ち上げた材料を混合槽内壁に押し当てて擦り潰すようにするなど、その用途に合わせて混合羽根の形状や回転方向が決められていてそれぞれ専用のミキサとなっている。
【０００３】
【発明が解決しようとする課題】
しかしながら、この種の二軸式連続ミキサでは種々の材料の混合、解砕を取り扱う機会もあるが、混合はできるが解砕はできないという一方の機能のみを有するものとなっていたり、また性状の異なる材料では混合羽根の形状に不具合があって混合または解砕が十分にできないなど、多用途に使用しようとすると種々問題点がある。また、別途専用のミキサを用意するとなればその使用頻度を考慮すると不経済であることも多々ある。
【０００４】
本発明は上記の点に鑑み、各種材料の混合や解砕などの多用途に対応できる二軸式連続ミキサを提供することを課題とする。
【０００５】
【課題を解決するための手段】
本発明は上記課題を解決するために、一端側に投入口を、他端側に排出口を備えた混合槽に相反方向に回転する二本の平行な混合軸を配設し、該混合軸には混合アーム取付片を混合軸に沿って所定間隔でかつ放射状に配設すると共に、材料の混合に適した形状の材料混合用混合羽根と、塊状物を混合槽内壁に押し当てて擦り潰すのに適した形状の解砕用混合羽根のいずれかを先端に有する混合アームを前記混合アーム取付片に着脱自在とし、かつ混合軸の回転方向を正逆いずれにも回転自在とし、材料を混合する場合には、前記材料混合用混合羽根を有する混合アームを混合アーム取付片に取り付け、混合槽の中央部で混合羽根が下から上方向に回転するように正回転させる一方、塊状物を解砕する場合には、前記解砕用混合羽根を有する混合アームを混合アーム取付片に取り付け、混合槽の中央部で混合羽根が上から下方向に回転するように逆回転させる構成としたことを特徴としている。
【０００６】
また、前記混合軸は混合槽内の両壁面近くで分割して取り外し自在に構成したことを特徴としている。
【０００７】
【発明の実施の形態】
本発明に係る二軸式連続ミキサによれば、混合羽根を有する混合アームを混合軸の混合アーム取付片に着脱自在とすると共に、混合軸の回転方向を正逆いずれにも回転自在とし、各種材料の混合や解砕の用途によって混合軸の回転方向と混合羽根の形状を変更可能とするもので、例えば、材料を混合する場合には、混合羽根の回転方向は混合槽の中央部で下から上方向に材料を持ち上げて材料同士を混ぜ合せるような方向に回転させる（以下、正回転という）。このため、混合羽根も混合する材料に適した形状のものとし、また正回転で材料を混合槽の排出側に送るような角度で混合軸の混合アーム取付片に取り付ける。
【０００８】
また、塊状物を解砕する場合には、混合羽根の回転方向は前記混合とは逆方向に回転させるようにし（以下、逆回転という）、混合羽根により持ち上げた材料を混合槽内壁に押し当てて擦り潰し作用を発揮する形状の混合羽根等を採用し、また逆回転で材料を混合槽の排出側に送るような角度で混合軸の混合アーム取付片に取り付ける。
【０００９】
このように、材料の性状や混合、解砕の用途に応じて混合羽根を適宜取り替えることができると共に混合軸の回転方向も正逆いずれかで回転させることができ、１台のミキサによって各種材料の混合や解砕などの多用途に対応できて経済的なものとなる。
【００１０】
また、混合軸は混合槽内の両壁面近くで分割して取り外し自在に構成すると、混合軸を混合槽から取り外して混合軸の混合アーム取付片に適宜な混合羽根を楽に取り付けることができ、また別の混合羽根を取り付けた混合軸を用意しておいて交換するなどすれば、取り替え時間も短縮されてメンテナンスも容易になる。
【００１１】
【実施例】
以下、本発明の実施例を図面に基づいて説明する。
【００１２】
図中の１は泥土、飛灰等に固化材等を混合したり、混合脱水ケーキ等の塊状物を解砕する二軸式連続ミキサであって、混合槽２に二本の平行な混合軸３、３´を貫通し、混合槽２の支持台４に固定した軸受５により回転自在に支持している。
【００１３】
混合軸３、３´の一端部にはギヤ６、６´を装着して固定すると共に、それぞれのギヤ６、６´を噛合させて混合軸３、３´を同期速度で回転させるようにしている。また、混合軸３、３´の他端部には減速機７を介して駆動用モータ８、８´を取り付け、駆動用モータ８、８´の駆動によって混合軸３、３´を回転させるようにしている。
【００１４】
混合軸３、３´には図３〜図５に示すように軸芯に対して直交する方向に断面略コ字形状の混合アーム取付片９を固着し、該混合アーム取付片９には混合アーム１０の基部を取り付ける透孔１１を穿設している。
【００１５】
混合アーム１０は図６、図７に示すように先端部に混合羽根１２を取り付けると共に、混合アーム１０基部は前記混合アーム取付片９の略コ字形状部に嵌着可能な形状とすると共に、前記透孔１１に合致する透孔１３を穿設しており、混合アーム１０基部を混合アーム取付片９の略コ字形状部に嵌着すると共に透孔１１、１３を挿通状に合致させ、ボルトナット１４により締結するようにしている。なお、混合アーム１０はその用途によって混合羽根１２の形状や取り付け角度を変化させたものを適宜用意し、用途によって適宜取り替えるようにしている。
【００１６】
１５は材料を投入する投入口であって混合槽２の駆動用モータ８、８´側の上部に配設している。１６は材料を排出する排出口であって混合槽２の駆動用モータ８、８´側と反対側の下部に配設しており、投入口１５より投入した材料を混合槽２に所定時間滞留させた後、排出口１６より排出するようにしている。
【００１７】
しかして、上記二軸式連続ミキサにより塊状物の解砕を行う場合には、図８、図９に示すように混合軸３、３´に平行になるようにした解砕用混合羽根１２ａや図１０、図１１に示すように混合アーム１０に対する取り付け角度が平面視で右下がりの傾斜とした解砕用混合羽根１２ｂを先端部に取り付けた混合アーム１０を混合軸３、３´の混合アーム取付片９に取り付ける。
【００１８】
この解砕用混合羽根１２ａ、１２ｂを図１４に示す矢印の方向、即ち逆回転方向に回転させると、混合羽根１２ａが塊状物を混合槽２の壁面に押し付けて解砕すると共に、混合羽根１２ｂが排出口１６に向けて送り出すように作用する。
【００１９】
また、各種材料を混合する場合には、図１２、図１３に示すように平面視で左下がりの傾斜とした材料混合用混合羽根１２ｃを混合軸３、３´の混合アーム取付片９に取り付ける。この材料混合用混合羽根１２ｃを図１５に示す矢印の方向、即ち正回転方向に回転させると材料が混合槽の中央部で左右の混合羽根１２ｃによって混合されながら排出口１６に向けて送り出されるようになる。
【００２０】
このように、取り扱う材料や用途によって混合羽根１２を適宜取り替え、また混合羽根１２の回転方向も正逆変化させるようにすれば、一台の二軸式連続ミキサにて各種材料の混合、解砕処理を行うことができて経済的な活用を図ることができる。
【００２１】
また、混合軸３、３´を図１６に示すように混合槽２内の両壁面近くで分割し、フランジ１７を介してボルトナット１８により締結して着脱自在に構成しておく。これによって、混合軸３、３´を混合槽２から取り外して混合軸３、３´の混合アーム取付片９に適宜な混合羽根１２を楽に取り付けることができる。また別の混合羽根１２を取り付けた混合軸３、３´を用意しておいて交換するようにすれば取り替え時間も短縮されメンテナンスも容易になる。
【００２２】
【発明の効果】
以上のように本発明に係る二軸式連続ミキサにあっては、一端側に投入口を、他端側に排出口を備えた混合槽に相反方向に回転する二本の平行な混合軸を配設し、該混合軸には混合アーム取付片を混合軸に沿って所定間隔でかつ放射状に配設すると共に、材料の混合に適した形状の材料混合用混合羽根と、塊状物を混合槽内壁に押し当てて擦り潰すのに適した形状の解砕用混合羽根のいずれかを先端に有する混合アームを前記混合アーム取付片に着脱自在とし、かつ混合軸の回転方向を正逆いずれにも回転自在とし、材料を混合する場合には、前記材料混合用混合羽根を有する混合アームを混合アーム取付片に取り付け、混合槽の中央部で混合羽根が下から上方向に回転するように正回転させる一方、塊状物を解砕する場合には、前記解砕用混合羽根を有する混合アームを混合アーム取付片に取り付け、混合槽の中央部で混合羽根が上から下方向に回転するように逆回転させる構成としたので、一台の二軸式連続ミキサの混合羽根を用途に応じて適宜取り替えることができるうえ、混合軸の回転方向も正逆いずれにでも回転させることができ、一台の二軸式連続ミキサによって種々の材料の混合、解砕などの多用途に対応できて経済的である。
【００２３】
また、混合軸は混合槽内の両壁面近くで分割して取り外し自在に構成したので、混合軸を混合槽から取り外して混合軸の混合アーム取付片に適宜な混合羽根を楽に取り付けることができ、また別の混合羽根を取り付けた混合軸を用意しておいて交換するなどすれば、取り替え時間も短縮されてメンテナンスも容易になる。
【図面の簡単な説明】
【図１】本発明に係る二軸式連続ミキサの一実施例を示す正面図である。
【図２】図１の平面図である。
【図３】図１の混合アーム取付片部分の拡大図である。
【図４】図３の平面図である。
【図５】図４の側面図である。
【図６】先端に混合羽根を備えた混合アームを示す正面図である。
【図７】混合アーム取り付け片に解砕用の混合アームを取り付けた一実施例を示す斜視図である。
【図８】混合アーム取り付け片に解砕用の混合アームを取り付けた一実施例を示す説明図である。
【図９】図８の側面図である。
【図１０】混合アーム取り付け片に別の解砕用の混合アームを取り付けた一実施例を示す説明図である。
【図１１】図１０の側面図である。
【図１２】混合アーム取り付け片に材料混合用の混合アームを取り付けた一実施例を示す説明図である。
【図１３】図１２の側面図である。
【図１４】解砕用の混合アームを回転させた状態を示す説明図である。
【図１５】材料混合用の混合アームを回転させた状態を示す説明図である。
【図１６】混合槽内の混合軸の分割部位を示す拡大図である。
【符号の説明】
１…二軸式連続ミキサ              ２…混合槽
３、３´…混合軸                    ９…混合アーム取付片
１０…混合アーム                  １１…透孔
１２…混合羽根                    １３…透孔
１４…ボルトナット                １５…投入口
１６…排出口
【図１】
0004132344.tif 000002
【図２】
0004132344.tif 000003
【図３】
0004132344.tif 000004
【図４】
0004132344.tif 000005
【図５】
0004132344.tif 000006
【図６】
0004132344.tif 000007
【図７】
0004132344.tif 000008
【図８】
0004132344.tif 000009
【図９】
0004132344.tif 000010
【図１０】
0004132344.tif 000011
【図１１】
0004132344.tif 000012
【図１２】
0004132344.tif 000013
【図１３】
0004132344.tif 000014
【図１４】
0004132344.tif 000015
【図１５】
0004132344.tif 000016
【図１６】
0004132344.tif 000017